(57)【要約】【課題】吸収性物品に設けられている吸収体の厚さに起因する、吸収性物品の着用時に着用者に生ずる違和感を抑制できる吸収性物品を提供する。【解決手段】本発明では、吸収性シート６０は、背側域１３に設けられ、上層吸収体４０および下層吸収体５０は、腹側域１２から背側域１３にわたって設けられ、少なくとも下層吸収体５０の長手方向後側の端５１は、上層吸収体４０の長手方向後側の端４２に比べて、長手方向前側に位置する。【選択図】図２
2014018280.tif 000002
【特許請求の範囲】
【請求項１】
前側および後側の長手方向ならびに幅方向を有し、クロッチ域、該クロッチ域の長手方向前側の腹側域および該クロッチ域の長手方向後側の背側域から構成され、液透過性のトップシートと、バックシートと、該トップシートおよび該バックシートの間に配置された上層吸収体と、該上層吸収体および前記バックシートの間に配置された下層吸収体と、該トップシートおよび該上層吸収体の間に配置され、高吸収性ポリマーおよび該高吸収性ポリマーを挟持する液透過性シートを有する吸収性シートとを含む吸収性物品であって、
前記吸収性シートは、前記背側域に設けられ、
前記上層吸収体および前記下層吸収体は、前記腹側域から前記背側域にわたって設けられ、
少なくとも前記下層吸収体の長手方向後側の端は、前記上層吸収体の長手方向後側の端に比べて、長手方向前側に位置する、吸収性物品。
【請求項２】
前記上層吸収体は、前記上層吸収体を厚さ方向に貫通し、長手方向に延びる貫通部を、前記クロッチ域かつ幅方向中央に備える、請求項１に記載の吸収性物品。
【請求項３】
前記上層吸収体および前記下層吸収体は、親水性繊維および高吸収性ポリマーを含み、
前記下層吸収体における親水性繊維に対する高吸収性ポリマーの割合は、前記上層吸収体における親水性繊維に対する高吸収性ポリマーの割合に比べて高い、請求項１または２に記載の吸収性物品。
【請求項４】
前記吸収性シートは、前記液透過性シートに前記高吸収性ポリマーが挟持されている高吸収性ポリマー存在領域と、前記液透過性シートに前記吸収性ポリマーが挟持されていない高吸収性ポリマー非存在領域とを備え、
前記吸収性シートの長手方向後側の端が、前記下層吸収体の長手方向後側の端と同じ位置であるかまたは前記下層吸収体の長手方向後側の端に比べて長手方向前側に位置し、
前記高吸収性ポリマー存在域におけるもっとも長手方向後側の端が、前記下層吸収体の長手方向後側の端に比べて長手方向前側に位置する、請求項１〜３のいずれか１項に記載の吸収性物品。
【請求項５】
前記トップシートの幅方向両側に一対のサイドシートを含み、
前記サイドシートは、幅方向内側の端近傍に伸長状態で取り付けられた長手方向に延在する弾性部材をそれぞれ備え、
前記サイドシートは、幅方向内側において、長手方向両端に設けられた前記トップシートに接着された固定部と、該固定部の間に、前記弾性部材の伸縮力により厚さ方向に起立する立体ギャザー部とをそれぞれ備え、
少なくとも長手方向後側にある前記固定部の長手方向前側の端は、前記下層吸収体の長手方向後側の端よりも長手方向前側に位置する、請求項１〜４のいずれか１項に記載の吸収性物品。
【請求項６】
前記貫通部の長手方向の長さに対する前記貫通部の幅方向の長さの割合は、８〜４０％である、請求項１〜５に記載の吸収性物品。
【請求項７】
前記吸収性シートの前記高吸収性ポリマー存在域におけるもっとも長手方向後側の端は、幅方向に延びる直線と平行である、請求項４に記載の吸収性物品。
【発明の詳細な説明】
【技術分野】
【０００１】
本発明は、吸収性物品に関し、とくに尿取りパッド、使い捨ておむつ、排泄トレーニングパンツ、失禁ブリーフなどの吸収性物品に関する。
【背景技術】
【０００２】
吸収体と、吸収体の表面を被覆するように配置され、少なくとも一部が液透過性材料からなるトップシートと、吸収体の裏面に配置され、液不透過性材料からなるバックシートとを備え、吸収体は、少なくとも着用者の排泄部位に対応する領域（排泄領域）に吸収体の表面から裏面に向けて孔部が形成されたものであり、吸収体の表面にはトップシートが配置されるとともに、吸収体の裏面には、少なくとも排泄領域における孔部の開口部を覆うように拡散シートが配置されており、拡散シートよりも上部で、かつ排泄領域よりも着用時における後方の領域に撥水性シートが配置されている吸収性物品が従来技術として知られている（たとえば、特許文献１）。
【０００３】
この吸収性物品は、排泄液の吸収性に優れたものであるとともに、排泄液の逆戻りを有効に防止することができる。すなわち、この吸収性物品は、排泄液を吸収体のトップシート側の面（表面）における排泄部位にて吸収させるとともに、その排泄液の一部を吸収体の孔部を通過させて拡散シートに浸透させることにより、この拡散シートを経由させて吸収体の裏面から排泄液を吸収させることができる。このように、排泄液をより広い領域で吸収させることができるため、排泄液の吸収速度が高く、吸収性に優れている。また、この吸収体には、拡散シートよりも上部で、かつ排泄領域よりも着用時における後方の領域に撥水性シートが配置されているため、着用時に体圧がかかりやすく、排泄液が逆戻りしやすい臀部の領域においては、吸収体の表面に排泄液がしみ出すことを制限することができ、排泄液の逆戻りを有効に防止することができる。
【先行技術文献】
【特許文献】
【０００４】
【特許文献１】特開２００９−２８１８６号公報
【発明の概要】
【発明が解決しようとする課題】
【０００５】
しかしながら、特許文献１に記載されているような従来の吸収性物品では、第１の吸収体と第２の吸収体とを重ねて配置した場合、吸収性物品に設けられている吸収体の厚さに起因する、吸収性物品の着用時に着用者に生ずる違和感が大きくなる場合がある。
【課題を解決するための手段】
【０００６】
本発明は、上記課題を解決するため、以下の構成を採用した。
すなわち、本発明は、前側および後側の長手方向ならびに幅方向を有し、クロッチ域、クロッチ域の長手方向前側の腹側域およびクロッチ域の長手方向後側の背側域から構成され、液透過性のトップシートと、バックシートと、トップシートおよびバックシートの間に配置された上層吸収体と、上層吸収体およびバックシートの間に配置された下層吸収体と、トップシートおよび上層吸収体の間に配置され、高吸収性ポリマーおよび高吸収性ポリマーを挟持する液透過性シートを有する吸収性シートとを含む吸収性物品であって、吸収性シートは、背側域に設けられ、上層吸収体および下層吸収体は、腹側域から背側域にわたって設けられ、少なくとも下層吸収体の長手方向後側の端は、上層吸収体の長手方向後側の端に比べて、長手方向前側に位置する。
【発明の効果】
【０００７】
本発明によれば、吸収性物品に設けられている吸収体の厚さに起因する、吸収性物品の着用時に着用者に生ずる違和感を抑制できる。
【図面の簡単な説明】
【０００８】
【図１】図１は、着用者の肌側から見たときの本発明の一実施形態の吸収性物品の平面図である。
【図２】図２は、図１のＡ−Ａ断面の概略図である。
【図３】図３は、本発明の一実施形態の吸収性物品の分解図である。
【図４】図４は、本発明の一実施形態の吸収性物品の着用状態を示す図である。
【図５】図５は、着用者の排尿口が吸収性物品に接している場合の、本発明の一実施形態における吸収性物品の排泄された尿の吸収を説明するための図である。
【図６】図６は、着用者の排尿口が吸収性物品に接していない場合の、本発明の一実施形態における吸収性物品の排泄された尿の吸収を説明するための図である。
【発明を実施するための形態】
【０００９】
以下、図を参照して本発明の一実施形態の吸収性物品を説明する。本発明の一実施形態の吸収性物品は、尿取りパッドである。図１は、着用者の肌側から見たときの本発明の一実施形態の吸収性物品の平面図であり、図２は、図１のＡ−Ａ断面の概略図であり、図３は、本発明の一実施形態の吸収性物品の分解図であり、図４は、本発明の一実施形態の吸収性物品の着用状態を示した図である。ここで、図に示されたｘ軸方向を吸収性物品１の幅方向とし、ｙ軸方向を吸収性物品１の長手方向とする。また、ｘｙ方向を吸収性物品１の平面方向とする。
【００１０】
図１に示すように、吸収性物品１は、クロッチ域１１、クロッチ域１１の長手方向前側の腹側域１２およびクロッチ域１１の長手方向後側の背側域１３から構成される。ここで、吸収性物品１の腹側域１２側を前側とし、吸収性物品１の背側域１３側を後側とする。図４に示すように、クロッチ域１１は、吸収性物品の着用時に着用者１００の股部にあてがわれる領域であり、腹側域１２は、着用者の股部に対して腹側を覆う領域であり、背側域１３は、着用者の股部に対して背側を覆う領域である。クロッチ域１１では、吸収性物品１の幅方向の長さが小さくなるように側部１４が屈曲または湾曲している。ここで、股部とは、着用者が直立したとき、着用者の両大腿部に挟まれる股の領域である。
【００１１】
本発明の一実施形態における吸収性物品１は、液透過性のトップシート２０と、トップシート２０と対向する位置に配置されたバックシート３０と、トップシート２０およびバックシート３０の間に配置された上層吸収体４０と、上層吸収体４０およびバックシートの間に配置された下層吸収体５０と、トップシート２０および上層吸収体４０の間に配置された吸収性シート６０とを含む。トップシート２０の幅方向両側には一対のサイドシート７０が配置されている。さらに、吸収性シート６０および上層吸収体４０の間にセカンドシート８０が配置されている。
【００１２】
トップシート２０は、着用者から排泄された尿を透過する液透過性のシートである。トップシート２０は、着用者が吸収性物品１を装着したときに着用者の肌と接触する表面に設けられるので、トップシート２０の肌触りは良好であることが好ましい。このため、トップシート２０は、たとえば細い繊維で作製される。トップシート２０は、表面が平滑で、変形に対して自由度が大きいことが必要である。トップシート２０には、一般に不織布が用いられる。トップシート２０に用いられる不織布に、スパンボンド不織布、ポイントボンド不織布、エアスルー不織布などが挙げられる。たとえば、トップシート２０には、２０ｇ／ｍ2の目付を有するスパンボンド不織布を用いることができる。トップシート２０は、腹側域１２から背側域１３にわたって配置される。
【００１３】
バックシート３０は、尿を透過しない液不透過性シートであり、吸収性物品１に排泄された尿が外に漏れることを防止する。バックシート３０の材料は、排泄された尿を透過しない材料であれば、とくに限定されない。たとえば、防水処理を施した不織布、ポリエチレンなどから構成されるプラスチックフィルム、不織布とプラスチックフィルムとの複合材料などをバックシート３０に用いることができる。また、着用時の吸収性物品１の蒸れを防止するために、バックシート３０に通気性フィルムを使用してもよい。バックシートバックシート３０は、腹側域１２から背側域１３にわたって配置される。
【００１４】
なお、吸収性物品１がおむつの内側に配置して使用する尿取りパッドなどの吸収性物品である場合は、バックシートは液不透過性シートでなくてもよい。なぜならば、バックシートを透過した尿はおむつによって吸収されるからである。
【００１５】
上層吸収体４０は、着用者から排泄された尿を吸収し保持する。上層吸収体４０は、たとえば、親水性繊維と高吸収性ポリマー（Super Absorbent Polymer：ＳＡＰ）とを含む。上層吸収体４０に含まれる親水性繊維には、粉砕パルプおよびコットンなどのセルロース、レーヨンおよびフィブリルレーヨンなどの再生セルロース、アセテートおよびトリアセテートなどの半合成セルロース、粒子状ポリマー、繊維状ポリマー、熱可塑性疎水性化学繊維、親水化処理を施した熱可塑性疎水性化学繊維、ならびにこれらの混合物が挙げられる。また、セルロース発泡体および合成樹脂の連続発泡体などを上層吸収体４０に使用することができる。低コストであることおよび成形がしやすいことから考慮すると、上層吸収体４０の親水性繊維として粉砕パルプを使用することが好ましい。
【００１６】
上層吸収体４０に含まれる高吸収性ポリマーは、水溶性高分子が適度に架橋した三次元網目構造を有し、ポリマーの乾燥重量に対して３０〜６０倍の水を吸収し、本質的に水不溶性であり、一旦吸収された水は多少の圧力を加えても離水しないポリマーが好ましい。この高吸収性ポリマーには、たとえば、デンプン系、アクリル酸系またはアミノ酸系の粒子状または繊維状のポリマーが挙げられる。
【００１７】
上層吸収体４０は、バックシート３０の略相似形の形状を有する。上層吸収体４０の大きさはバックシート３０の大きさに比べて小さい。上層吸収体４０は、腹側域１２から背側域１３にわたって設けられている。
【００１８】
上層吸収体４０は、貫通部４１を有する。貫通部４１は、上層吸収体４０を厚さ方向に貫通する穴である。これにより、トップシート２０に排泄された尿は、貫通部４１の側壁と下層吸収体５０の上面とから吸収されるので、トップシート２０に排泄された尿の吸収が速くなる。貫通部４１は、吸収体４０の幅方向中央に設けられ、かつ、腹側域１２からクロッチ域１１にわたって長さ方向に延びていることが好ましい。しかし、貫通部４１は、吸収性シート６０と厚さ方向で重なる位置までは長手方向に延びてないことが好ましい。すなわち、吸収性物品１の厚さ方向に貫通部４１を投影した場合の貫通部４１の投影像は、吸収性物品１の厚さ方向に吸収性シート６０を投影した場合の吸収性シート６０の投影像と重ならないことが好ましい。
【００１９】
貫通部４１の長手方向の長さに対する貫通部４１の幅方向の長さの割合は、好ましくは８〜４０％である。これにより、尿が、貫通部４１が存在しない位置に排泄されることを抑制できるとともに、上層吸収体４０に吸収された尿が上層吸収体４０の幅方向の端に達することを抑制でき、吸収性物品１の幅方向側から漏れることを抑制できる。
【００２０】
上層吸収体４０は、不図示のホットメルト接着剤（Hot Melt Adhesive：ＨＭＡ）により下層吸収体５０と接着している。なお、上層吸収体４０は、バックシート３０の略相似形にせず、矩形、長円形などに変えることもできる。
【００２１】
下層吸収体５０は、上層吸収体４０の貫通部４１を通過したり、貫通部４１に溜まったりした尿を吸収し保持する。下層吸収体５０は、上層吸収体４０と同じように、たとえば、親水性と高吸収性ポリマー（ＳＡＰ）とを含む。
【００２２】
下層吸収体５０は、上層吸収体４０と同じように、腹側域１２から背側域１３にわたって設けられている。しかし、下層吸収体５０の長手方向後側の端５１は、上層吸収体４０の長手方向後側の端４２に比べて長手方向前側に位置する。これにより、背側域１３において、吸収性物品１に含まれる吸収体４０，５０の合計の厚さが、長手方向後側の端から前側に進むにしたがって、段階的に大きくなる。背側域１３では、着用者が寝ているときに大きな体圧が吸収性物品１に印加されるので、吸収体４０，５０の厚さに起因する、吸収性物品１の着用時に着用者に生ずる違和感は大きくなる。したがって、吸収体４０，５０の合計の厚さを段階的に大きくすることによって、吸収体４０，５０の厚さに起因する、吸収性物品１の着用時に着用者に生ずる違和感を抑制できる。
【００２３】
なお、さらに、下層吸収体５０の長手方向前側の端５２を、上層吸収体４０の長手方向前側の端４３に比べて長手方向後側に位置するようにしてもよい。これにより、腹側域１２においても、吸収体４０，５０の厚さに起因する、吸収性物品１の着用時に着用者に生ずる違和感を抑制できる。
【００２４】
昼間では、着用者から排泄された尿は、貫通部４１における尿が排泄された位置で、下層吸収体５０に吸収されることが多い。このため、下層吸収体５０における親水性繊維に対する高吸収性ポリマーの割合は、上層吸収体４０における親水性繊維に対する高吸収性ポリマーの割合に比べて高いことは好ましい。これにより、下層吸収体５０の排泄された位置で吸収された尿が逆戻りして、着用者の肌を濡らすことを抑制できる。下層吸収体５０における親水性繊維に対する高吸収性ポリマーの割合は、好ましくは、２２〜５５％である。一方、上層吸収体４０における親水性繊維に対する高吸収性ポリマーの割合は、好ましくは、２０〜４０％である。たとえば、下層吸収体５０は、１９７ｇ／ｍ2の目付を有するパルプと１００ｇ／ｍ2の目付を有する高吸収性ポリマーとを有する。この場合、下層吸収体５０における親水性繊維に対する高吸収性ポリマーの割合は５１％である。一方、上層吸収体５０は、たとえば、２２０ｇ／ｍ2の目付を有するパルプと６２ｇ／ｍ2の目付を有する高吸収性ポリマーとを有する。この場合、上層吸収体４０における親水性繊維に対する高吸収性ポリマーの割合は２８％である。
【００２５】
下層吸収体５０は、ホットメルト接着剤３１によりバックシート３０と接着している。
【００２６】
吸収性シート６０は、高吸収性ポリマー（ＳＡＰ）６１を液透過性シート６２，６３で挟持した複合シートである。液透過性シート６２，６３には、たとえば不織布が用いられる。なお、高吸収性ポリマーを３枚以上の液透過性シートで挟持して吸収性シートを作製してもよい。また、１枚の折り畳んだ液透過性シートで高吸収性ポリマーを挟持して吸収性シートを作製してもよい。
【００２７】
吸収性シート６０に使用される高吸収性ポリマー６１は、水溶性高分子が適度に架橋した三次元網目構造を有し、ポリマーの乾燥重量に対して３０〜６０倍の水を吸収し、本質的に水不溶性であり、一旦吸収された水は多少の圧力を加えても離水しないポリマーが好ましい。この高吸収性ポリマーには、たとえば、デンプン系、アクリル酸系またはアミノ酸系の粒子状または繊維状のポリマーが挙げられる。
【００２８】
高吸収性ポリマー６１を液透過性シート６２，６３で挟持した後、液透過性シート６２，６３を相互に接合することで、吸収性シート６０は作製される。したがって、高吸収性ポリマー６１を液透過性シート６２，６３で挟持した後、吸収性ポリマーがこぼれてしまうのを防ぐために高吸収性ポリマーの粒径は、液透過性シート６２，６３の繊維間隙に比べて細かくないことが好ましい。
【００２９】
液透過性シート６２，６３には、たとえば、スパンボンド不織布、ポイントボンド不織布、エアスルー不織布、スパンボンド・メルトブロー・スパンボンド（ＳＭＳ）不織布などを用いることができる。液透過性シート６２，６３は、尿に対して透過性を有することが必要であるので、親水化処理がなされていることが好ましい。
【００３０】
たとえば、吸収性シート６０は、１．８ｇの高吸収性ポリマーと、２０ｇ／ｍ2の目付を有する親水性のエアスルー不織布とを含む。
【００３１】
トップシート２０側の液透過性シート６２におけるトップシート２０側の面には、長手方向に延び、幅方向に複数並ぶ接着部６４が設けられている。接着部６４は、たとえば、ホットメルト接着剤を筋状に塗工することによって形成される。接着部６４を筋状に塗工するのは、接着部６４では尿の透過性はよくないため、接着部６４の存在しない領域を液透過性シート６２に設けるためである。したがって、接着部の存在しない領域を液透過性シート６２に設けることができる塗工方法であれば、すなわち、接着部を間欠的に配置できる塗工方法であれば、筋状塗工方法に限定されず、オメガ状塗工などの非接触塗工方法でもよい。
【００３２】
なお、パックシート３０側の液透過性シート６３には、接着部は設けられていない。これにより、後述の高吸収性ポリマー非存在領域６７を尿が通過しやすくなる。高吸収性ポリマー非存在領域６７を通過した尿は、上層吸収体４０に吸収される。
【００３３】
液透過性シート６２に、青色などに着色された筋状の接着部６４を設けることによって、吸収性物品１に青色などの色の縞状の模様を付すことができる。これにより、吸収性物品１の外観がよくなる。
【００３４】
吸収性シート６０は、背側域１３に配置されることが好ましい。なお、吸収性シート６０は、背側域１３に配置されていれば、背側域１３の一部の領域に配置されていてもよいし、クロッチ域１１まで延在してもよい。
【００３５】
吸収性シート６０では、高吸収性ポリマー６１は、複数の領域６６（以下、高吸収性ポリマー存在領域と呼ぶ）に分けて配置され、それぞれの高吸収性ポリマー存在領域６６の間に高吸収性ポリマー６１が配置されていない領域（以下、高吸収性ポリマー非存在領域と呼ぶ）６７を設けられている。これにより、高吸収性ポリマー存在領域６６の吸収性ポリマー６１が尿を吸収して膨潤しきってしまい、尿をさらに吸収できなくなった場合でも、尿は高吸収性ポリマー非存在領域６７を通過して、上層吸収体４０および下層吸収体５０に吸収される。なお、高吸収性ポリマーが膨潤しきるまで使用し続けることのない吸収性物品については、吸収性シートに高吸収性ポリマー非存在領域を設ける必要はない。
【００３６】
高吸収性ポリマー存在領域６６の平面方向の形状は、長手方向後側の方向に凸であり、かつ吸収性物品１の幅方向に延びる略Ｖ字形状であることが好ましい。すなわち、高吸収性ポリマー存在領域６６の平面方向の形状は、吸収性物品１の長手方向後側の方向に頂点が向いた略Ｖ字形状であることが好ましい。ただし、腹側域１２からもっとも離れている高吸収性ポリマー存在領域６６は、略Ｖ字形状または略円弧形状の幅方向中央の部分を切り欠くことによって形成される形状であることが好ましい。
【００３７】
高吸収性ポリマー存在領域６６の略Ｖ字形状は、着用者の臀部に沿った形状であるので、高吸収性ポリマー存在領域６６は着用者の臀部にフィットし、着用者と吸収性物品１との間の隙間が生じにくくなる。なお、高吸収性ポリマー非存在領域が存在すれば、高吸収性ポリマー存在領域の形状は略Ｖ字形状に限定されない。たとえば、吸収性ポリマー存在領域の形状は、円弧形状、円形、矩形形状、三角形などでもよい。
【００３８】
吸収性シートの長手方向後側の端６０ａが、下層吸収体５０の長手方向後側の端５１と同じ位置であるかまたは下層吸収体５０の長手方向後側の端５１に比べて長手方向前側に位置し、高吸収性ポリマー存在域６６におけるもっとも長手方向後側にある端６６ａが、下層吸収体の長手方向後側の端５１に比べて長手方向前側に位置することが好ましい。これにより、吸収性物品１に含まれる吸収体４０，５０および吸収性シート６０の合計の厚さが、長手方向後側の端から前側に向けて、細かく段階的に大きくなる。したがって、吸収体４０，５０および吸収性シート６０の厚さに起因する、吸収性物品１の着用時に着用者に生ずる違和感をさらに抑制できる。
【００３９】
吸収性シート６０の高吸収性ポリマー存在域６６におけるもっとも長手方向後側にある端６６ａは、幅方向に延びる直線と平行であることが好ましい。これにより、吸収性物品１に含まれる吸収体４０，５０および吸収性シート６０の合計の厚さが、長手方向の端から長手方向中央に向けて段階的に大きくなる割合を幅方向にわたって均一にできる。したがって、吸収体４０，５０および吸収性シート６０の厚さに起因する、吸収性物品１の着用時に着用者に生ずる違和感を、吸収性物品１の幅方向にわたって抑制できる。
【００４０】
上述したように、高吸収性ポリマー６１を液透過性シート６２，６３で挟持した後、液透過性シート６２，６３を相互に接合することで高吸収性シート６０は作製される。したがって、液透過性シート６２，６３の間に高吸収性ポリマー６１が挟持されている領域が高吸収性ポリマー存在領域６６であり、液透過性シート６２，６３の間に高吸収性ポリマー６１が挟持されておらず、２枚の液透過性シート６２，６３同士が直接接合されている領域が高吸収性ポリマー非存在領域６７である。
【００４１】
液透過性シート６２，６３同士の接合は、高吸収性ポリマー６１の膨潤による膨張力に耐えうる強度を好ましくは有する。そうしないと、高吸収性ポリマー６１の膨潤によって、液透過性シート６２，６３同士がはがれて液透過性シート６２，６３の間に隙間が生じ、その隙間に吸収性ポリマー６１が入り込んで、高吸収性ポリマー非存在領域６７がなくなる場合がある。この液透過性シート６２，６３同士の接合には、ヒートシール、ソニックシール、接着剤などを用いることができる。
【００４２】
サイドシート７０は、疎水性または撥水性を有することが好ましい。サイドシート７０には、たとえば、スパンボンド不織布やスパンボンド・メルトブロー・スパンボンド（ＳＭＳ）不織布などを使用できる。また、サイドシート７０は着用者の肌と接触するため、肌への擦れ刺激を低減できるエアスルー不織布をサイドシート７に使用することが好ましい。
【００４３】
サイドシート７０の幅方向内側の端近傍の部分は、好ましくは折り返されている。サイドシート７０の折り返されている部分の中には、伸長状態で取り付けられた長手方向に延在する弾性部材７１を配置することが好ましい。サイドシート７０は、幅方向内側において、長手方向両端に設けられたトップシート２０に接着された固定部７２と、固定部７２の間に、弾性部材７１の伸縮力により厚さ方向に起立する立体ギャザー部７３とを備える。立体ギャザー部７３は、表面シート２０に排泄された尿が吸収性物品１の幅方向の端から漏れることを抑制する。
【００４４】
長手方向両端に設けられた固定部７２のうち、少なくとも長手方向後側にある固定部７２の長手方向前側の端７４は、下層吸収体５０の長手方向後側の端５１よりも長手方向前側に位置することが好ましい。これにより、弾性部材７１の伸縮力が上層吸収体４０の長手方向端側の下層吸収体５０と重なっていない非重なり部分４４（図２参照）に作用する程度を大きくすることができる。ところで、上層吸収体４０の非重なり部分４４に対応する吸収性物品１の領域は、下層吸収体５０が存在しないので、吸収性物品１の剛性は低い。このため、図４に示すように、吸収性物品１の長手方向後側の端側の部分１５は、弾性部材７１（図１または図３参照）の伸縮力により、肌側に曲がる。これにより、吸収性物品１の長手方向の端側の部分１５が、着用者の臀部を伝わって流れる尿を止める防波堤となり、着用者の臀部を伝わって流れた尿が、吸収性物品１の長手方向の端から外部に漏れることをさらに抑制できる。
【００４５】
なお、長手方向前側にある固定部７２の長手方向後側の端を、下層吸収体５０の長手方向前側の端５２よりも長手方向後側に位置するようにしてもよい。これにより、吸収性物品１の長手方向前側の端側の部分が、弾性部材７１の伸縮力により、肌側に曲がり、着用者の腹側を伝わって流れた尿が、吸収性物品１の長手方向の端から外部に漏れることを抑制できる。
【００４６】
吸収性シート６０が尿を吸収し、吸収性シート６０の高吸収性ポリマー６１が膨潤すると、吸収性シート６０の高吸収性ポリマー存在領域６６が膨らむので、吸収性物品１を長手方向に曲げようとする応力が生じる。この応力が弾性部材７１（図１または図３参照）の伸縮力に加わり、吸収性物品１の長手方向の端側の部分１５が肌側に曲がろうとする力が大きくなる。これにより、着用者の臀部を伝わって流れた尿が、吸収性物品１の長手方向の端から外部に漏れることをさらに抑制できる。
【００４７】
セカンドシート８０は、トップシート２０の一部の領域から浸透してきた尿を平面方向に拡散させるための液透過性シートである。これにより、上層吸収体４０は、トップシート２０の一部の領域から浸透してきた尿を、トップシート２０側の面の広い範囲で吸収することができる。セカンドシート８０は、腹側域１２から背側域１３にわたって配置されている。
【００４８】
セカンドシート８０には、ティッシュ、ポイントボンド不織布、レーヨン入りのスパンレース不織布など、液拡散性の高い不織布が好ましくは用いられる。とくにセカンドシート８０の液拡散性は、トップシート２０の液拡散性よりも高いことが好ましい。たとえば、トップシート２０にスパンボンド不織布を用いた場合、スパンボンド不織布よりも液拡散性の高いティッシュ、ポイントボンド不織布、スパンレース不織布（とくにレーヨン入り）またはそれらを組み合わせたものをセカンドシート８０に用いることが好ましい。たとえば、セカンドシート８０には、１５ｇ／ｍ2目付を有するティッシュが使用される。
【００４９】
セカンドシート８０の液拡散性が、トップシート２０の液拡散性よりも高い場合、排泄された尿がトップシート２０に大きく広がる前に、セカンドシート８０は尿を吸収し、上層吸収体４に尿を吸収させることができる。これにより、トップシート２０に大きく広がった尿によって着用者の肌が濡れることを抑制できる。
【００５０】
次に図を参照して、本発明の一実施形態における吸収性物品１の排泄された尿の吸収について説明する。
【００５１】
着用者の排尿口が吸収性物品１に接している場合、図５に示すように、排泄された尿は、クロッチ域１１の吸収性シート６０が配置されていない部分からトップシート２０およびセカンドシート８０を通過し（矢印２１０）、上層吸収体４０の貫通部４１に到達する。上層吸収体４０の貫通部４１に到達した尿の一部（矢印２１０）は、貫通部４１の側壁から吸収される（矢印２２０）。また、上層吸収体４０の貫通部４１に到達した尿の他の一部は、下層吸収体５０に吸収される（矢印２３０）。排泄された尿の一部は、トップシート２０を通過した後、セカンドシート８０内を拡散し（矢印２４０）、上層吸収体４０に吸収される。排泄された尿がセカンドシート８０内を拡散することによって、排泄された尿は、上層吸収体４０のセカンドシート８０側の面に大きく広がる。これにより、上層吸収体４０における排泄された尿を吸収する部分の面積が大きくなるので、尿の上層吸収体４０への拡散が速くなる。
【００５２】
着用者の排尿口が吸収性物品１に接していない場合、たとえば、着用者が仰向けに寝ている場合、図６に示すように、排泄された尿は、着用者の肌を伝わって、クロッチ域１１および／または背側域１３における吸収性シート６０が配置されている部分のトップシート２０に到達する（矢印２５０）。トップシート２０に到達した尿は、吸収性シート６０によって吸収される。また、上述したように、吸収性ポリマーは一旦吸収された水は多少の圧力を加えても離水しない性質を有するので、着用者が仰向けに寝て、着用者の臀部から吸収性物品１の背側域１３に体圧が加えられた場合でも、吸収性シート６０に吸収された尿は体圧によって吸収性シート６０からしみ出すことは少ない。
【００５３】
以上の説明はあくまで一例であり、発明は、上記の実施形態に何ら限定されるものではない。
【符号の説明】
【００５４】
１    吸収性物
２０    トップシート
３０    バックシート
４０    上層吸収体
４１    貫通部
５０    下層吸収体
６０    吸収性シート
６１    高吸収性ポリマー
６２，６３    液透過性シート
６６    高吸収性ポリマー存在領域
６７    高吸収性ポリマー非存在領域
７０    サイドシート
７１    弾性部材
７２    固定部
７３    立体ギャザー部
８０    セカンドシート
【図１】
2014018280.tif 000003
【図２】
2014018280.tif 000004
【図３】
2014018280.tif 000005
【図４】
2014018280.tif 000006
【図５】
2014018280.tif 000007
【図６】
2014018280.tif 000008